(57)【特許請求の範囲】
【請求項１】
交流電力から交流電力に変換する電力変換装置であって、
インバータとコンバータが背中合わせとなる２組の電力変換器に含まれ、スイッチング素子のスイッチングにより直流電力と交流電力との電力変換をする少なくとも４つの電力変換回路と、
前記電力変換回路の直流側に接続されたコンデンサと、
前記２組の電力変換器の直流側同士を接続し、前記コンデンサ及び前記コンデンサを含む閉回路の配線の寄生インダクタンスにより形成される共振回路の共振を抑制するためのインダクタンスを有する接続手段と
を備えたこと特徴とする電力変換装置。
【請求項２】
前記接続手段は、前記共振回路の共振周波数を前記スイッチング素子のスイッチング周波数からずらすためのインダクタンスを有すること
を特徴とする請求項１に記載の電力変換装置。
【請求項３】
前記電力変換回路は、フルブリッジ回路であり、
前記接続手段は、前記共振回路の共振周波数が前記スイッチング素子のスイッチング周波数の２倍よりも低くなるインダクタンスを有すること
を特徴とする請求項１に記載の電力変換装置。
【請求項４】
前記電力変換回路は、ハーフブリッジ回路であり、
前記接続手段は、前記共振回路の共振周波数が前記スイッチング素子のスイッチング周波数よりも低くなるインダクタンスを有すること
を特徴とする請求項１に記載の電力変換装置。
【請求項５】
前記共振回路による共振電流を抑制するためのダンピング抵抗
を備えたことを特徴とする請求項１から請求項４のいずれか１項に記載の電力変換装置。
【請求項６】
インバータとコンバータが背中合わせとなる２組の電力変換器に含まれ、スイッチング素子のスイッチングにより直流電力と交流電力との電力変換をする少なくとも４つの電力変換回路を用い、前記電力変換回路の直流側にコンデンサが接続され、交流電力から交流電力に変換する電力変換方法であって、
前記２組の電力変換器の直流側同士を前記コンデンサ及び前記コンデンサを含む閉回路の配線の寄生インダクタンスにより形成される共振回路の共振を抑制するためのインダクタンスを有するように接続し、
前記インダクタンスを有するように接続した構成で、電力変換すること
を含むこと特徴とする電力変換方法。
【発明の詳細な説明】
【技術分野】
【０００１】
本発明は、電力変換装置に関する。
【背景技術】
【０００２】
一般に、複数のインバータの直流側が並列に接続された構成が知られている。また、インバータの直流側には、平滑コンデンサが設けられている。インバータの直流側が並列に接続された構成では、平滑コンデンサと配線の寄生インダクタンスにより共振回路が形成される。この共振回路が共振すると過大な共振電流が流れる。
【０００３】
従って、このような共振電流を発生させない為に、一般的には配線インダクタンスが極力小さくなるように、インバータの設計を行う。しかし、配線インダクタンスを完全にゼロすることはできないため、共振電流は流れてしまう。
【０００４】
そこで、共振電流を抑制するために、平滑コンデンサと直列に制動抵抗を設けた電力変換装置が知られている（例えば、特許文献１参照）。
【先行技術文献】
【特許文献】
【０００５】
【特許文献１】特開２００５−１０２４４４号公報
【発明の概要】
【発明が解決しようとする課題】
【０００６】
しかしながら、インバータの直流回路に制動抵抗を設けた場合、制動抵抗による電力損失が発生する。
【０００７】
そこで、本発明の目的は、電力損失を軽減して、平滑コンデンサにより形成される共振回路による共振を抑制することのできる電力変換装置を提供することにある。
【課題を解決するための手段】
【０００８】
本発明の観点に従った電力変換装置は、交流電力から交流電力に変換する電力変換装置であって、インバータとコンバータが背中合わせとなる２組の電力変換器に含まれ、スイッチング素子のスイッチングにより直流電力と交流電力との電力変換をする少なくとも４つの電力変換回路と、前記電力変換回路の直流側に接続されたコンデンサと、前記２組の電力変換器の直流側同士を接続し、前記コンデンサ及び前記コンデンサを含む閉回路の配線の寄生インダクタンスにより形成される共振回路の共振を抑制するためのインダクタンスを有する接続手段とを備えている。
【発明の効果】
【０００９】
本発明によれば、電力損失を軽減して、平滑コンデンサにより形成される共振回路による共振を抑制することのできる電力変換装置を提供することができる。
【図面の簡単な説明】
【００１０】
【図１】本発明の第１の実施形態に係る電力変換装置の構成を示す構成図。
【図２】本発明の第２の実施形態に係る電力変換装置の構成を示す構成図。
【図３】本発明の第３の実施形態に係る電力変換装置の構成を示す構成図。
【図４】本発明の第４の実施形態に係る電力変換装置の構成を示す構成図。
【発明を実施するための形態】
【００１１】
以下図面を参照して、本発明の実施形態を説明する。
【００１２】
（第１の実施形態）
図１は、本発明の第１の実施形態に係る電力変換装置２０の構成を示す構成図である。なお、図面における同一部分には同一符号を付してその詳しい説明を省略し、異なる部分について主に述べる。以降の実施形態も同様にして重複する説明を省略する。
【００１３】
電力変換装置２０は、２つのＢＴＢ変換器１０ａ，１０ｂの直流回路が２つのリアクトルＬ１，Ｌ２を介して接続された構成である。２つのリアクトルＬ１，Ｌ２により、２つの直流回路が電気的に接続されていることで、２つのＢＴＢ変換器１０ａ，１０ｂは、直流回路間で相互に電力を融通することができる。また、２つのリアクトルＬ１，Ｌ２は、２つのＢＴＢ変換器１０ａ，１０ｂに設けられた２つの平滑コンデンサＣ１，Ｃ２に起因する共振を抑制する。
【００１４】
２つのＢＴＢ(back-to-back)変換器１０ａ，１０ｂは、それぞれ交流電源３ａ，３ｂから供給された交流電力を交流負荷４ａ，４ｂに供給するための交流電力に変換する。
【００１５】
ＢＴＢ変換器１０ａは、コンバータ１ａ、インバータ２ａ、及び平滑コンデンサＣ１を備えている。ＢＴＢ変換器１０ｂは、コンバータ１ｂ、インバータ２ｂ、及び平滑コンデンサＣ２を備えている。
【００１６】
コンバータ１ａの直流側は、インバータ２ａの直流側（ＢＴＢ変換器１０ａの直流回路）と接続されている。即ち、コンバータ１ａとインバータ２ａは、背中合わせの構成である。コンバータ１ａは、交流電源３ａから供給された交流電力を直流電力に変換する。コンバータ１ａは、変換した直流電力を直流回路に供給する。
【００１７】
インバータ２ａは、ＢＴＢ変換器１０ａの直流回路に供給される直流電力を交流負荷４ａに供給するための交流電力に変換する。
【００１８】
平滑コンデンサＣ１の両端は、それぞれＢＴＢ変換器１０ａの直流回路の正極と負極に接続されている。平滑コンデンサＣ１は、直流回路に印加される直流電圧を平滑化する。
【００１９】
コンバータ１ｂの直流側は、インバータ２ｂの直流側（ＢＴＢ変換器１０ｂの直流回路）と接続されている。即ち、コンバータ１ｂとインバータ２ｂは、背中合わせの構成である。コンバータ１ｂは、交流電源３ｂから供給された交流電力を直流電力に変換する。コンバータ１ｂは、変換した直流電力を直流回路に供給する。
【００２０】
インバータ２ｂは、ＢＴＢ変換器１０ｂの直流回路に供給される直流電力を交流負荷４ｂに供給するための交流電力に変換する。
【００２１】
平滑コンデンサＣ２の両端は、それぞれＢＴＢ変換器１０ｂの直流回路の正極と負極に接続されている。平滑コンデンサＣ２は、直流回路に印加される直流電圧を平滑化する。
【００２２】
コンバータ１ａ，１ｂ及びインバータ２ａ，２ｂは、フルブリッジ回路で構成されている。コンバータ１ａは、４つのスイッチング素子ＳＷ１１，ＳＷ１２，ＳＷ１３，ＳＷ１４で構成されている。インバータ２ａは、４つのスイッチング素子ＳＷ２１，ＳＷ２２，ＳＷ２３，ＳＷ２４で構成されている。コンバータ１ｂは、４つのスイッチング素子ＳＷ３１，ＳＷ３２，ＳＷ３３，ＳＷ３４で構成されている。インバータ２ｂは、４つのスイッチング素子ＳＷ４１，ＳＷ４２，ＳＷ４３，ＳＷ４４で構成されている。
【００２３】
ここで、２つのコンバータ１ａ，１ｂは、同様の構成である。また、２つのインバータ２ａ，２ｂは、２つのコンバータ１ａ，１ｂの直流側と交流側を反対にした構成である。従って、ここでは、主にコンバータ１ａの構成について説明し、他の電力変換器１ｂ，２ａ，２ｂについては同様に構成されているものとして説明を適宜省略する。
【００２４】
スイッチング素子ＳＷ１１〜ＳＷ１４には、それぞれ逆並列ダイオードが設けられている。スイッチング素子ＳＷ１１〜ＳＷ１４は、ゲート信号により駆動する半導体素子である。
【００２５】
スイッチング素子ＳＷ１１とスイッチング素子ＳＷ１２は、直列に接続されている。直列に接続された２つのスイッチング素子ＳＷ１１，ＳＷ１２の両端は、それぞれＢＴＢ変換器１０ａの直流回路の正極と負極に接続されている。
【００２６】
スイッチング素子ＳＷ１３とスイッチング素子ＳＷ１４は、直列に接続されている。直列に接続された２つのスイッチング素子ＳＷ１３，ＳＷ１４の両端は、それぞれＢＴＢ変換器１０ａの直流回路の正極と負極に接続されている。
【００２７】
スイッチング素子ＳＷ１１〜ＳＷ１４が駆動することにより、コンバータ１ａは、電力変換動作を行う。
【００２８】
コンバータ１ａでは、２組の直列に接続されたスイッチング素子ＳＷ１１〜ＳＷ１４のそれぞれの接続点は、交流電源３ａと接続されている。インバータ２ａでは、２組の直列に接続されたスイッチング素子ＳＷ２１〜ＳＷ２４のそれぞれの接続点は、交流負荷４ａと接続されている。コンバータ１ｂでは、２組の直列に接続されたスイッチング素子ＳＷ３１〜ＳＷ３４のそれぞれの接続点は、交流電源３ｂと接続されている。インバータ２ｂでは、２組の直列に接続されたスイッチング素子ＳＷ４１〜ＳＷ４４のそれぞれの接続点は、交流負荷４ｂと接続されている。
【００２９】
次に、２つのリアクトルＬ１，Ｌ２による共振の抑制方法について説明する。共振回路は、２つの平滑コンデンサＣ１，Ｃ２及びＢＴＢ変換器１０ａ，１０ｂの直流回路同士を接続する配線を含む閉回路（共振回路）の配線の寄生インダクタンスで構成される。
【００３０】
まず、各種パラメータについて説明する。
【００３１】
‘ｆｓｗ１’は、コンバータ１ａのスイッチング素子ＳＷ１１〜ＳＷ１４のスイッチング周波数［Ｈｚ］を、‘ｆｓｗ２’は、インバータ２ａのスイッチング素子ＳＷ２１〜ＳＷ２４のスイッチング周波数［Ｈｚ］を、‘ｆｓｗ３’は、コンバータ１ｂのスイッチング素子ＳＷ３１〜ＳＷ３４のスイッチング周波数［Ｈｚ］を、‘ｆｓｗ４’は、インバータ２ｂのスイッチング素子ＳＷ４１〜ＳＷ４４のスイッチング周波数［Ｈｚ］を表している。なお、スイッチング周波数ｆｓｗ１〜ｆｓｗ４は、全て異なる周波数でもよいし、全て同一周波数でもでもよいし、任意の２つ以上が同一周波数でもよい。
【００３２】
‘Ｌｓ１〜Ｌｓ８’は、共振回路の配線の寄生インダクタンス［Ｈ］を表している。‘Ｌｓ１’は、平滑コンデンサＣ１が設けられている配線の寄生インダクタンスである。‘Ｌｓ２’は、ＢＴＢ変換器１０ａの直流回路の正極の配線の寄生インダクタンスである。‘Ｌｓ３’は、リアクトルＬ１が設けられている配線の寄生インダクタンスである。‘Ｌｓ４’は、ＢＴＢ変換器１０ａの直流回路の負極の配線の寄生インダクタンスである。‘Ｌｓ５’は、平滑コンデンサＣ２が設けられている配線の寄生インダクタンスである。‘Ｌｓ６’は、ＢＴＢ変換器１０ｂの直流回路の正極の配線の寄生インダクタンスである。‘Ｌｓ７’は、リアクトルＬ２が設けられている配線の寄生インダクタンスである。‘Ｌｓ８’は、ＢＴＢ変換器１０ｂの直流回路の負極の配線の寄生インダクタンスである。
【００３３】
‘Ｃ１’は、平滑コンデンサＣ１の直流コンデンサ容量［Ｆ］である。‘Ｃ２’は、平滑コンデンサＣ２の直流コンデンサ容量［Ｆ］である。
【００３４】
‘Ｌ１’は、リアクトルＬ１のインダクタンス［Ｈ］である。‘Ｌ２’は、リアクトルＬ２のインダクタンス［Ｈ］である。
【００３５】
共振回路の共振周波数ｆは、合成インダクタンスを‘Ｌ’、合成コンデンサ容量を‘Ｃ’とすると、以下のように表される。
【数１】
0005972635.tif 000002
【００３６】
ここで、‘Ｌ’及び‘Ｃ’は、次式のように表される。
【００３７】
Ｌ＝Ｌ１＋Ｌ２＋Ｌｓ１＋Ｌｓ２＋Ｌｓ３＋Ｌｓ４＋Ｌｓ５＋Ｌｓ６＋Ｌｓ７＋Ｌｓ８
Ｃ＝Ｃ１＋Ｃ２
共振を抑制するためには、共振周波数ｆは、ｆ＜２ｆｓｗを満たす必要がある。ここで、‘ｆｓｗ’は、コンバータ１ａ，１ｂ及びインバータ２ａ，２ｂのスイッチング周波数ｆｓｗ１〜ｆｓｗ４の総称である。即ち、共振周波数ｆを全てのスイッチング周波数ｆｓｗ１〜ｆｓｗ４の２倍より低くする。
【００３８】
従って、合成インダクタンスＬの条件式は、以下のようになる。
【数２】
0005972635.tif 000003
【００３９】
よって、２つのリアクトルＬ１，Ｌ２のインダクタンスの‘Ｌ１’及び‘Ｌ２’は、次式を満たすように決定する。
【数３】
0005972635.tif 000004
【００４０】
本実施形態によれば、上述のインダクタンス成分を有するリアクトルＬ１，Ｌ２を直流回路に設けることにより、共振周波数ｆをスイッチング周波数ｆｓｗ１〜ｆｓｗ４からずらすことができる。このように、共振回路の共振点をスイッチング周波数ｆｓｗ１〜ｆｓｗ４からずらすことで、共振を抑制することができる。これにより、ダンピング抵抗（減衰抵抗、制動抵抗）を設けずに、共振電流を抑制することができる。
【００４１】
また、ダンピング抵抗を設けていないため、直流回路での電力損失を軽減することができる。
【００４２】
一般的に、電力変換装置間を接続する配線の抵抗分は、電力損失を抑制するために、なるべく低くなるように設計される。電力変換装置の直流回路間をダンピング抵抗で接続した場合、直流回路間で行う電力融通でダンピング抵抗のジュール損失により電力損失が発生する。これに対して、本実施形態では、リアクトルＬ１，Ｌ２で直流回路間を接続しているため、ダンピング抵抗によるジュール損失は発生せず直流電力の電力損失を軽減することができる。
【００４３】
さらに、ダンピング抵抗を設ける場合はダンピング抵抗が多大の電力を消費するためにダンピング抵抗の数量が多く必要となるが、リアクトルで共振を抑制する場合は損失が少なくリアクトルの数量が少なくて済むため、装置を小型化することができる。
【００４４】
（第２の実施形態）
図２は、本発明の第２の実施形態に係る電力変換装置２０Ａの構成を示す構成図である。
【００４５】
電力変換装置２０Ａは、図１に示す第１の実施形態に係る電力変換装置２０において、ＢＴＢ変換器１０ａ，１０ｂをそれぞれＢＴＢ変換器１０Ａａ，１０Ａｂに代え、リアクトルＬ１，Ｌ２をリアクトルＬ１Ａ，Ｌ２Ａに代えたものである。その他の点は、電力変換装置２０Ａは、第１の実施形態に係る電力変換装置２０と同様である。
【００４６】
ＢＴＢ変換器１０Ａａは、第１の実施形態に係るＢＴＢ変換器１０ａにおいて、コンバータ１ａをコンバータ１Ａａに代え、インバータ２ａをインバータ２Ａａに代え、平滑コンデンサＣ１を２つの平滑コンデンサＣ１１，Ｃ１２に代えた構成である。その他の点は、ＢＴＢ変換器１０Ａａは、第１の実施形態に係るＢＴＢ変換器１０ａと同様である。
【００４７】
ＢＴＢ変換器１０Ａｂは、第１の実施形態に係るＢＴＢ変換器１０ｂにおいて、コンバータ１ｂをコンバータ１Ａｂに代え、インバータ２ｂをインバータ２Ａｂに代え、平滑コンデンサＣ２を２つの平滑コンデンサＣ２１，Ｃ２２に代えた構成である。その他の点は、ＢＴＢ変換器１０Ａｂは、第１の実施形態に係るＢＴＢ変換器１０ｂと同様である。
【００４８】
コンバータ１Ａａ，１Ａｂ及びインバータ２Ａａ，２Ａｂは、ハーフブリッジ回路で構成されている。コンバータ１Ａａは、２つのスイッチング素子ＳＷ１１Ａ，ＳＷ１２Ａで構成されている。インバータ２Ａａは、２つのスイッチング素子ＳＷ２１Ａ，ＳＷ２２Ａで構成されている。コンバータ１Ａｂは、２つのスイッチング素子ＳＷ３１Ａ，ＳＷ３２Ａで構成されている。インバータ２Ａｂは、２つのスイッチング素子ＳＷ４１Ａ，ＳＷ４２Ａで構成されている。
【００４９】
２つのスイッチング素子ＳＷ１１Ａ，ＳＷ１２Ａは、直列に接続されている。コンバータ１Ａａでは、直列に接続された２つのスイッチング素子ＳＷ１１Ａ，ＳＷ１２Ａの両端は、それぞれＢＴＢ変換器１０Ａａの直流回路の正極と負極に接続されている。他の電力変換器１Ａｂ，２Ａａ，２Ａｂについても同様に構成されている。
【００５０】
コンバータ１Ａａでは、直列に接続されたスイッチング素子ＳＷ１１Ａ，ＳＷ１２Ａの接続点は、交流電源３ａの一端の端子と接続されている。インバータ２Ａａでは、直列に接続されたスイッチング素子ＳＷ２１Ａ，ＳＷ２２Ａの接続点は、交流負荷４ａの一端の端子と接続されている。コンバータ１Ａｂでは、直列に接続されたスイッチング素子ＳＷ３１Ａ，ＳＷ３２Ａの接続点は、交流電源３ｂの一端の端子と接続されている。インバータ２Ａｂでは、直列に接続されたスイッチング素子ＳＷ４１Ａ，ＳＷ４２Ａの接続点は、交流負荷４ｂの一端の端子と接続されている。
【００５１】
その他の点は、コンバータ１Ａａ，１Ａｂ及びインバータ２Ａａ，２Ａｂは、第１の実施形態に係るコンバータ１ａ，１ｂ及びインバータ２ａ，２ｂと同様である。
【００５２】
２つの平滑コンデンサＣ１１，Ｃ１２は、直列に接続されている。直列に接続された平滑コンデンサＣ１１，Ｃ１２の両端は、それぞれＢＴＢ変換器１０Ａａの直流回路の正極と負極に接続されている。直列に接続された平滑コンデンサＣ１１，Ｃ１２の接続点は、交流電源３ａ及び交流負荷４ａのそれぞれの一端と接続されている。平滑コンデンサＣ１１，Ｃ１２は、直流回路に印加される直流電圧を平滑化する。
【００５３】
２つの平滑コンデンサＣ２１，Ｃ２２は、直列に接続されている。直列に接続された平滑コンデンサＣ２１，Ｃ２２の両端は、それぞれＢＴＢ変換器１０Ｂａの直流回路の正極と負極に接続されている。直列に接続された平滑コンデンサＣ２１，Ｃ２２の接続点は、交流電源３ｂ及び交流負荷４ｂのそれぞれの一端と接続されている。平滑コンデンサＣ２１，Ｃ２２は、直流回路に印加される直流電圧を平滑化する。
【００５４】
次に、２つのリアクトルＬ１Ａ，Ｌ２Ａによる共振の抑制方法について説明する。
【００５５】
まず、各種パラメータについて説明する。基本的には、第１の実施形態と同様のため、主に異なる部分について説明する。
【００５６】
‘ｆｓｗ１’は、コンバータ１Ａａのスイッチング素子ＳＷ１１Ａ，ＳＷ１２Ａのスイッチング周波数［Ｈｚ］を表している。‘ｆｓｗ２’〜‘ｆｓｗ４’についても、第１の実施形態と同様である。
【００５７】
‘Ｌｓ１’〜‘Ｌｓ８’は、については、第１の実施形態と同様である。
【００５８】
‘Ｌ１Ａ’は、リアクトルＬ１Ａのインダクタンス［Ｈ］である。‘Ｌ２Ａ’は、リアクトルＬ２Ａのインダクタンス［Ｈ］である。
【００５９】
‘Ｃ１’は、２つの平滑コンデンサＣ１１，Ｃ１２を合成した直流コンデンサ容量［Ｆ］である。‘Ｃ２’は、２つの平滑コンデンサＣ２１，２２を合成した直流コンデンサ容量［Ｆ］である。‘Ｃ１１’を平滑コンデンサＣ１１の直流コンデンサ容量［Ｆ］、‘Ｃ１２’を平滑コンデンサＣ１２の直流コンデンサ容量［Ｆ］、‘Ｃ２１’を平滑コンデンサＣ２１の直流コンデンサ容量［Ｆ］、‘Ｃ２２’を平滑コンデンサＣ２２の直流コンデンサ容量［Ｆ］とすると、‘Ｃ１’及び‘Ｃ２’は、次式のように表される。
【数４】
0005972635.tif 000005
【００６０】
共振を抑制するためには、共振周波数ｆは、ｆ＜ｆｓｗを満たす必要がある。即ち、共振周波数ｆを全てのスイッチング周波数ｆｓｗ１〜ｆｓｗ４より低くする。
【００６１】
よって、２つのリアクトルＬ１Ａ，Ｌ２Ａのインダクタンスの‘Ｌ１Ａ’及び‘Ｌ２Ａ’は、式（１）より、次式を満たすように決定する。
【数５】
0005972635.tif 000006
【００６２】
本実施形態によれば、ハーフブリッジ回路のコンバータ１Ａａ，１Ａｂ及びインバータ２Ａａ，２Ａｂで構成された電力変換装置２０Ａでも、第１の実施形態と同様の作用効果を得ることができる。
【００６３】
（第３の実施形態）
図３は、本発明の第３の実施形態に係る電力変換装置２０Ｂの構成を示す構成図である。
【００６４】
電力変換装置２０Ｂは、図１に示す第１の実施形態に係る電力変換装置２０において、ダンピング抵抗Ｒ１，Ｒ２を設けた構成である。その他の点は、電力変換装置２０Ｂは、第１の実施形態に係る電力変換装置２０と同様である。
【００６５】
ダンピング抵抗Ｒ１，Ｒ２は、それぞれリアクトルＬ１，Ｌ２と直列に設けられている。ダンピング抵抗Ｒ１，Ｒ２は、共振電流を抑制するための素子である。
【００６６】
本実施形態によれば、第１の実施形態による作用効果に加え、より確実に共振電流を抑制することができる。
【００６７】
ここで、リアクトルＬ１，Ｌ２により共振は抑制される。しかし、共振を完全に抑制することは困難である。そこで、さらに共振抑制効果を高めるために、ダンピング抵抗Ｒ１，Ｒ２を設ける。従って、リアクトルＬ１，Ｌ２が設けられていることにより、ダンピング抵抗Ｒ１，Ｒ２の抵抗値は小さくてよい。
【００６８】
（第４の実施形態）
図４は、本発明の第４の実施形態に係る電力変換装置２０Ｃの構成を示す構成図である。
【００６９】
電力変換装置２０Ｃは、図２に示す第２の実施形態に係る電力変換装置２０Ａにおいて、第３の実施形態と同様に、ダンピング抵抗Ｒ１，Ｒ２を設けた構成である。その他の点は、電力変換装置２０Ｃは、第２の実施形態に係る電力変換装置２０Ａと同様である。
【００７０】
ダンピング抵抗Ｒ１，Ｒ２は、それぞれリアクトルＬ１Ａ，Ｌ２Ａと直列に設けられている。ダンピング抵抗Ｒ１，Ｒ２は、共振電流を抑制するための素子である。
【００７１】
本実施形態によれば、第２の実施形態による作用効果に加え、第３の実施形態と同様に、より確実に共振電流を抑制することができる。
【００７２】
なお、各実施形態において、交流電源３ａ，３ｂと負荷４ａ，４ｂはどのように設けられていてもよい。例えば、２つの交流電源３ａ，３ｂは、同一の１つの交流電源でもよいし、２つの負荷４ａ，４ｂは、同一の１つの負荷でもよい。交流電源３ａ，３ｂ側には、負荷が設けられていてもよいし、負荷４ａ，４ｂ側には、交流電源が設けられていてもよい。
【００７３】
また、各実施形態では、２つのインバータと２つのコンバータの構成の電力変換装置について説明したが、これに限らない。インバータとコンバータ（電力変換器）の総数が３つ以上であればいくつ設けてもよい。また、インバータとコンバータの数は同数でなくてもよい。また、インバータ及びコンバータは、自励式変換器に限らず、ダイオード整流器などの他励式変換器でもよい。
【００７４】
さらに、各実施形態において、共振を抑制するためのリアクトルは、各実施形態で説明したインダクタンスを有していれば、リアクトルと呼ばれるものでなくてもよい。例えば、インダクタンスを有するように長くした配線やインダクタンスを有するような形状にした配線などの接続導体であってもよいし、その他の素子又は機器でもよい。
【００７５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組合せにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７６】
１ａ，１ｂ…コンバータ、２ａ，２ｂ…インバータ、３ａ，３ｂ…交流電源、４ａ，４ｂ…交流負荷、１０ａ，１０ｂ…ＢＴＢ変換器、２０…電力変換装置、Ｃ１，Ｃ２…平滑コンデンサ、Ｌ１，Ｌ２…リアクトル。
【図１】
0005972635.tif 000007
【図２】
0005972635.tif 000008
【図３】
0005972635.tif 000009
【図４】
0005972635.tif 000010